(57)【要約】【課題】特定の範囲に入場できる者をチェックすることによりセキュリティを高めること。【解決手段】管理された特定範囲への入場を希望する入場希望者から入場時に本人確認用の第１本人確認情報の入力を受け付ける受付手段と、特定範囲への入場を許可された入場許可者があらかじめ登録した第２本人確認情報と前記第１本人確認情報とが一致するか否か判定する判定手段と、判定手段が第１本人確認情報と第２本人確認情報とが一致すると判定した場合に、第２本人確認情報と紐付けて記憶された顔画像情報を表示端末に送信する送信手段と、判定した結果が一致し、かつ、顔画像情報が送信されたことを確認した場合に、特定範囲への入口の開錠を指示する指示手段とを備えた情報処理装置と、送信手段によって送信された顔画像情報を受信して表示する表示端末と、を含むことを特徴とする。【選択図】  図１
2013120454.tif 000002
【特許請求の範囲】
【請求項１】
管理された特定範囲への入場を希望する入場希望者から入場時に本人確認用の第１本人確認情報の入力を受け付ける受付手段と、
前記特定範囲への入場を許可された入場許可者があらかじめ登録した第２本人確認情報と前記第１本人確認情報とが一致するか否か判定する判定手段と、
前記判定手段が前記第１本人確認情報と前記第２本人確認情報とが一致すると判定した場合に、前記第２本人確認情報と紐付けて記憶された顔画像情報を表示端末に送信する送信手段と、
前記判定した結果が一致し、かつ、前記顔画像情報が送信されたことを確認した場合に、前記特定範囲への入口の開錠を指示する指示手段と、
を備えた情報処理装置と、
前記送信手段によって送信された前記顔画像情報を受信して表示する表示端末と、
を含むことを特徴とする情報処理システム。
【請求項２】
前記表示端末は、前記入場希望者が所持することを特徴とする請求項１に記載の情報処理システム。
【請求項３】
前記表示端末はＩＣカードであることを特徴とする請求項１または２に記載の情報処理システム。
【請求項４】
前記指示手段は、前記顔画像情報が前記表示端末に表示されたことを確認した場合に、前記特定範囲への入口の開錠を指示することを特徴とする請求項１乃至３のいずれか１項に記載の情報処理システム。
【請求項５】
管理された特定範囲への入場を希望する入場希望者から入場時に本人確認用の第１本人確認情報の入力を受け付ける受付ステップと、
前記特定範囲への入場を許可された入場許可者があらかじめ登録した第２本人確認情報と前記第１本人確認情報とが一致するか否か判定する判定ステップと、
前記判定ステップが前記第１本人確認情報と前記第２本人確認情報とが一致すると判定した場合に、前記第２本人確認情報と紐付けて記憶された顔画像情報を表示端末に送信する送信ステップと、
前記判定した結果が一致し、かつ、前記顔画像情報が送信されたことを確認した場合に、前記特定範囲への入口の開錠を指示する指示ステップと、
前記送信ステップによって送信された前記顔画像情報を受信して表示する表示ステップと、
を含むことを特徴とする情報処理方法。
【請求項６】
管理された特定範囲への入場を希望する入場希望者から入場時に本人確認用の第１本人確認情報の入力を受け付ける受付手段と、
前記特定範囲への入場を許可された入場許可者があらかじめ登録した第２本人確認情報と前記第１本人確認情報とが一致するか否か判定する判定手段と、
前記判定手段が前記第１本人確認情報と前記第２本人確認情報とが一致すると判定した場合に、前記第２本人確認情報と紐付けて記憶された顔画像情報を表示端末に送信する送信手段と、
前記判定した結果が一致し、かつ、前記顔画像情報が送信されたことを確認した場合に、前記特定範囲への入口の開錠を指示する指示手段と、
を備えたことを特徴とする情報処理装置。
【請求項７】
前記送信手段は、前記表示端末としてのＩＣカードに前記顔画像情報を送信することを特徴とする請求項６に記載の情報処理装置。
【請求項８】
管理された特定範囲への入場を希望する入場希望者から入場時に本人確認用の第１本人確認情報の入力を受け付ける受付ステップと、
前記特定範囲への入場を許可された入場許可者があらかじめ登録した第２本人確認情報と前記第１本人確認情報とが一致するか否か判定する判定ステップと、
前記判定ステップが前記第１本人確認情報と前記第２本人確認情報とが一致すると判定した場合に、前記第２本人確認情報と紐付けて記憶された顔画像情報を表示端末に送信する送信ステップと、
前記判定した結果が一致し、かつ、前記顔画像情報が送信されたことを確認した場合に、前記特定範囲への入口の開錠を指示する指示ステップと、
を含むことを特徴とする情報処理装置の制御方法。
【請求項９】
管理された特定範囲への入場を希望する入場希望者から入場時に本人確認用の第１本人確認情報の入力を受け付ける受付ステップと、
前記特定範囲への入場を許可された入場許可者があらかじめ登録した第２本人確認情報と前記第１本人確認情報とが一致するか否か判定する判定ステップと、
前記判定ステップが前記第１本人確認情報と前記第２本人確認情報とが一致すると判定した場合に、前記第２本人確認情報と紐付けて記憶された顔画像情報を表示端末に送信する送信ステップと、
前記判定した結果が一致し、かつ、前記顔画像情報が送信されたことを確認した場合に、前記特定範囲への入口の開錠を指示する指示ステップと、
をコンピュータに実行させることを特徴とする情報処理装置の制御プログラム。
【発明の詳細な説明】
【技術分野】
【０００１】
本発明は、セキュリティ管理技術に関する。
【背景技術】
【０００２】
上記技術分野において、特許文献１に示されているように、入室希望者の顔写真を撮影して、ＩＣカードに撮影した写真を表示する技術が知られている。
【０００３】
また、特許文献２に示されているように、あらかじめ入室を許可した者の顔写真データを読み出して、入室希望者のＩＣカードに表示する技術が知られている。
【先行技術文献】
【特許文献】
【０００４】
【特許文献１】特開2009-99052号公報
【特許文献２】特開2006-127064号公報
【発明の概要】
【発明が解決しようとする課題】
【０００５】
しかしながら、上記特許文献１の技術では、入室希望者の入室許可・不許可を判定した後に顔写真を撮影してＩＣカードに表示することから、ＩＣカードの所有者である入室を許可されている者と入室希望者との相違を顔写真により判定することはできなかった。
【０００６】
また、特許文献２の技術では、あらかじめ入室を許可した者の顔写真データを入室希望者のＩＣカードに表示するが、セキュリティエリアへの入室の際に顔写真データをＩＣカードに表示することを条件としていないため、セキュリティが不十分であった。
【０００７】
本発明の目的は、上述の課題を解決する技術を提供することにある。
【課題を解決するための手段】
【０００８】
上記目的を達成するため、本発明に係るシステムは、
管理された特定範囲への入場を希望する入場希望者から入場時に本人確認用の第１本人確認情報の入力を受け付ける受付手段と、
前記特定範囲への入場を許可された入場許可者があらかじめ登録した第２本人確認情報と前記第１本人確認情報とが一致するか否か判定する判定手段と、
前記判定手段が前記第１本人確認情報と前記第２本人確認情報とが一致すると判定した場合に、前記第２本人確認情報と紐付けて記憶された顔画像情報を表示端末に送信する送信手段と、
前記判定した結果が一致し、かつ、前記顔画像情報が送信されたことを確認した場合に、前記特定範囲への入口の開錠を指示する指示手段と、
を備えた情報処理装置と、
前記送信手段によって送信された前記顔画像情報を受信して表示する表示端末と、
を含むことを特徴とする。
【０００９】
上記目的を達成するため、本発明に係る方法は、
管理された特定範囲への入場を希望する入場希望者から入場時に本人確認用の第１本人確認情報の入力を受け付ける受付ステップと、
前記特定範囲への入場を許可された入場許可者があらかじめ登録した第２本人確認情報と前記第１本人確認情報とが一致するか否か判定する判定ステップと、
前記判定ステップが前記第１本人確認情報と前記第２本人確認情報とが一致すると判定した場合に、前記第２本人確認情報と紐付けて記憶された顔画像情報を表示端末に送信する送信ステップと、
前記判定した結果が一致し、かつ、前記顔画像情報が送信されたことを確認した場合に、前記特定範囲への入口の開錠を指示する指示ステップと、
前記送信ステップによって送信された前記顔画像情報を受信して表示する表示ステップと、
を含むことを特徴とする。
【００１０】
上記目的を達成するため、本発明に係る装置は、
管理された特定範囲への入場を希望する入場希望者から入場時に本人確認用の第１本人確認情報の入力を受け付ける受付手段と、
前記特定範囲への入場を許可された入場許可者があらかじめ登録した第２本人確認情報と前記第１本人確認情報とが一致するか否か判定する判定手段と、
前記判定手段が前記第１本人確認情報と前記第２本人確認情報とが一致すると判定した場合に、前記第２本人確認情報と紐付けて記憶された顔画像情報を表示端末に送信する送信手段と、
前記判定した結果が一致し、かつ、前記顔画像情報が送信されたことを確認した場合に、前記特定範囲への入口の開錠を指示する指示手段と、
を備えたことを特徴とする。
【００１１】
上記目的を達成するため、本発明に係る方法は、
管理された特定範囲への入場を希望する入場希望者から入場時に本人確認用の第１本人確認情報の入力を受け付ける受付ステップと、
前記特定範囲への入場を許可された入場許可者があらかじめ登録した第２本人確認情報と前記第１本人確認情報とが一致するか否か判定する判定ステップと、
前記判定ステップが前記第１本人確認情報と前記第２本人確認情報とが一致すると判定した場合に、前記第２本人確認情報と紐付けて記憶された顔画像情報を表示端末に送信する送信ステップと、
前記判定した結果が一致し、かつ、前記顔画像情報が送信されたことを確認した場合に、前記特定範囲への入口の開錠を指示する指示ステップと、
を含むことを特徴とする。
【００１２】
上記目的を達成するため、本発明に係るプログラムは、
管理された特定範囲への入場を希望する入場希望者から入場時に本人確認用の第１本人確認情報の入力を受け付ける受付ステップと、
前記特定範囲への入場を許可された入場許可者があらかじめ登録した第２本人確認情報と前記第１本人確認情報とが一致するか否か判定する判定ステップと、
前記判定ステップが前記第１本人確認情報と前記第２本人確認情報とが一致すると判定した場合に、前記第２本人確認情報と紐付けて記憶された顔画像情報を表示端末に送信する送信ステップと、
前記判定した結果が一致し、かつ、前記顔画像情報が送信されたことを確認した場合に、前記特定範囲への入口の開錠を指示する指示ステップと、
をコンピュータに実行させることを特徴とする。
【発明の効果】
【００１３】
本発明によれば、特定の範囲のセキュリティを高めることができる。
【図面の簡単な説明】
【００１４】
【図１】本発明の第１実施形態に係る情報処理システムの構成を示すブロック図である。
【図２】本発明の第２実施形態に係る情報処理システムの概要を示すブロック図である。
【図３】本発明の第２実施形態に係る情報処理システムの構成を示すブロック図である。
【図４】本発明の第２実施形態に係る情報処理システムの手続の処理を示すシーケンス図である。
【図５】本発明の第２実施形態における表示端末を示す図である。
【図６】本発明の第２実施形態における第２本人確認情報データベースのテーブルを示す図である。
【図７】本発明の第２実施形態における顔画像情報データベースのテーブルを示す図である。
【図８】本発明の第２実施形態における入場管理装置の手続の処理を示すフローチャートである。
【図９】本発明の第２実施形態における入場管理装置のハードウェア構成を示す図である。
【発明を実施するための形態】
【００１５】
以下に、本発明を実施するための形態について、図面を参照して、例示的に詳しく説明記載する。ただし、以下の実施の形態に記載されている、構成、数値、処理の流れ、機能要素などは一例に過ぎず、その変形や変更は自由であって、本発明の技術範囲を以下の記載に限定する趣旨のものではない。
【００１６】
［第１実施形態］
本発明の第１実施形態としての情報処理システム１００について、図１を用いて説明する。情報処理システム１００は、特定の範囲のセキュリティを管理する。
【００１７】
図１に示すように、情報処理システム１００は、情報処理装置１１０と、表示端末１４０とを含む。情報処理装置１１０は、受付部１１１と、判定部１１２と、送信部１１３と、指示部１１４とを備える。
【００１８】
受付部１１１は、管理された特定範囲への入場を希望する入場希望者から入場時に本人確認用の第１本人確認情報の入力を受け付ける。判定部１１２は、特定範囲への入場を許可された入場許可者があらかじめ登録した第２本人確認情報と第１本人確認情報とが一致するか否か判定する。送信部１１３は、判定部１１２が第１本人確認情報と第２本人確認情報とが一致すると判定した場合に、第２本人確認情報と紐付けて記憶された顔画像情報を表示端末１４０に送信する。指示部１１４は、判定した結果が一致し、かつ、顔画像情報が送信されたことを確認した場合に、特定範囲への入口の開錠を指示する。表示端末１４０は、送信部１１３によって送信された顔画像情報を受信して表示する。
【００１９】
以上の構成により、本実施形態によれば、特定の範囲のセキュリティを高めることができる。
【００２０】
［第２実施形態］
次に本発明の第２実施形態に係る情報処理システム２００について、図２を用いて説明する。
【００２１】
（情報処理システムの概要）
図２は、本実施形態に係る情報処理システム２００の概要を説明するための図である。情報処理システム２００は、入場管理装置２１０と、入力部２２１と、ＩＣタグリーダライタ（R/W:reader/writer）２２２とをネットワーク２３０を介して通信可能に接続されている。また、ネットワーク２３０は、セキュリティエリア２６０の電気錠（以下、「錠」ともいう。）２５０と、ＩＣタグリーダライタ２６１と通信可能に接続されている。ＩＣタグリーダライタ２２２及び２６１は、表示端末２４０と情報の交換を行なう。
【００２２】
入場希望者は、指紋、静脈、顔、虹彩、その他の生体認証に関する情報を第１本人確認情報として入力部２２１から入力する。本実施形態において、第１本人確認情報は、生体認証に関する情報であるが、第１本人確認情報はこれに限られるものではなく、個人を特定可能な情報であればＩＤ（identification）やパスワードであってもよい。
【００２３】
入力部２２１から入力された第１本人確認情報は、ネットワーク２３０を介して入場管理装置２１０に送信される。入場管理装置２１０は、第１本人確認情報とセキュリティエリア２６０への入場許可者があらかじめ登録した第２本人確認情報とが一致する否か判定する。入場管理装置２１０は、判定した結果、両情報が一致しており、入場希望者がセキュリティエリア２６０への入場許可者として登録されていることを確認できた場合には、第２本人確認情報と紐付けて記憶した顔画像情報を、入場希望者が所持する表示端末２４０に送信する。表示端末２４０は、ＩＣタグリーダライタ２２２から送信された顔画像情報を受信すると、表示部（図５）に表示する。なお、表示端末２４０は、ＩＣカード、その他顔画像情報を表示する表示部を有する端末であれば良い。入場管理装置２１０は、判定した結果、両情報が一致しており、かつ、顔画像情報がＩＣカード２４０に送信されたことをＩＣタグリーダライタ２２２からの通知により確認すると、セキュリティエリア２６０への入口の電気錠２５０の開錠を指示する。なお、入場管理装置２１０は、顔画像情報がＩＣカード２４０に送信されたことをＩＣタグリーダライタ２２２からの通知により確認した場合だけでなく、顔画像情報がＩＣカード２４０に表示されたことを確認した場合に電気錠２５０の開錠を指示しても良い。
【００２４】
（情報処理システムの構成）
図３は、情報処理システム２００の構成を示すブロック図である。情報処理システム２００は、入場管理装置２１０と、入力部２２１およびＩＣタグリーダライタ２２２とがネットワーク２３０を介して通信可能に接続されている。そして、ＩＣタグリーダライタ２２２は、ＩＣカード２４０と通信可能である。入場管理装置２１０は、受付部２１１と、判定部２１２と、送信部２１３と、指示部２１４と、第２本人確認情報データベース２１５と、顔画像情報データベース２１６とを備える。
【００２５】
指示部２１４は、ネットワーク２３０を介してセキュリティエリア２６０の錠２５０と通信可能に接続されている。セキュリティエリア２６０に備えられたＩＣタグリーダライタ２６１は、ＩＣカード２４０のタッチを感知すると、ＩＣカード２４０に表示した顔画像情報を消去する処理を行なう。これにより、入場許可者がＩＣカード２４０を紛失したり盗難にあったりした場合であっても、ＩＣカード２４０には顔画像情報が残されていないため、顔画像情報を入れ替えるなどの方法により不正に利用されることを防止することができる。
【００２６】
入場管理装置２１０の受付部２１１は、入力部２２１から入力された入場希望者の第１本人確認情報を受け付けると、判定部２１２に通知する。判定部２１２は、第１本人確認情報と、第２本人確認情報データベース２１５に蓄積された第２本人確認情報とが一致するか否か判定する。送信部２１３は、判定部２１２で判定された結果が一致している場合には、第２本人確認情報と紐付けて顔画像情報データベース２１６に蓄積された顔画像情報をＩＣタグリーダライタ２２２に送信する。
【００２７】
指示部２１４は、判定部２１２で判定した結果が一致しており、かつ、顔画像情報がＩＣカード２４０に送信されたことをＩＣタグリーダライタ２２２からの通知により確認すると、セキュリティエリア２６０への入口の電気錠２５０の開錠を指示する。
【００２８】
なお、本実施形態において第２本人確認情報データベース２１５と、顔画像情報データベース２１６とは入場管理装置２１０に含まれる構成であるが、これらデータベース２１５および２１６は入場管理装置２１０とデータの交換をできる状態にあれば良く、構成を限定するものではない。
【００２９】
（情報処理システムの手続の処理）
図４は、本実施形態に係る情報処理システム２００の手続の処理を示すシーケンス図である。
【００３０】
ステップＳ４０１において、入力部２２１は、入場希望者による第１本人確認情報の入力を受け付ける。ステップＳ４０３において、入力部２２１は、入力された第１本人確認情報を入場管理装置２１０に送信する。ステップＳ４０５において、入場管理装置２１０の受付部２１１は、入場希望者により入力された第１本人確認情報を受け付ける。ステップＳ４０７において、入場管理装置２１０の判定部２１２は、第２本人確認情報データベース２１５に蓄積された第２本人確認情報を読み出す。ステップＳ４０９において、入場管理装置２１０の判定部２１２は、第１本人確認情報と、読み出した第２本人確認情報とが一致するか否か判定する。
【００３１】
判定部２１２において両情報が一致すると判定した場合には、ステップＳ４１１において、要求部（図３に不図示）は、ＩＣカード２４０のＩＣタグリーダライタ２２２へのタッチを要求するメッセージを入力部２２１に送信する。また、判定部２１２は、両情報が一致しないと判定した場合に入場希望者のセキュリティエリア２６０への入場を許可しない（不許可である）ことの情報をＩＣタグリーダライタ２２２に通知しておいてもよい。ステップＳ４１３において、入力部２２１は、ＩＣカード２４０をＩＣタグリーダライタ２２２にタッチする指示を表示して、入場希望者にＩＣカード２４０のタッチを促す。
【００３２】
ステップＳ４１５において、入場管理装置２１０は、顔画像情報データベース２１６から第２本人確認情報と紐付けて記憶した顔画像情報を読み出す。ステップＳ４１７において、入場管理装置２１０は、読み出した入場許可者の顔画像情報をＩＣタグリーダライタ２２２に送信する。ステップＳ４１９において、ＩＣタグリーダライタ２２２は、ＩＣカード２４０のタッチを確認する。ステップＳ４２１において、ＩＣタグリーダライタ２２２は、ＩＣカード２４０に顔画像情報を書き込む。ステップＳ４２３において、ＩＣタグリーダライタ２２２は、ＩＣカード２４０に顔画像情報が書き込まれたことを入場管理装置２１０に通知する。
【００３３】
ステップＳ４２５において、入場管理装置２１０の指示部２１４は、顔画像情報がＩＣカード２４０に書き込まれたことの通知を受け付けると、セキュリティエリア２６０への入口の錠の開錠を指示する。ステップＳ４２７において、錠２５０は指示部２１４からの指示にしたがって開錠する。
【００３４】
（表示端末）
図５は、本実施形態におけるＩＣカード２４０を示す図である。ＩＣカード２４０−１は、第１本人確認情報と第２本人確認情報との判定結果が一致している場合の表示態様であり、ＩＣカード２４０−２は、第１本人確認情報と第２本人確認情報とが不一致の場合の表示態様である。
【００３５】
ＩＣカード２４０−１は、顔画像情報を表示した状態を示す。ＩＣカード２４０−１は、要求部（不図示）からの要求にしたがってＩＣタグリーダライタ２２２にタッチすると、第２本人確認情報と紐付けて顔画像情報データベース２１６に蓄積された利用許可者の顔画像情報を受け付けて、表示部５０１に顔画像を表示する。一方、ＩＣカード２４０−２は、顔画像情報を表示しない状態を示す。ＩＣカード２４０−２は、要求部からのＩＣタグリーダライタ２２２へのタッチの指示の有無に関わらずＩＣタグリーダライタ２２２にタッチしても、表示部５０１に顔画像を表示されない。顔画像情報は、利用希望者の第１本人確認情報と利用許可者の第２本人確認情報とが一致した場合に限り、顔画像情報データベース２１６に蓄積されたデータが入場管理装置２１０（判定部２１２）に読み出され、ＩＣタグリーダライタ２２２に送信される。
【００３６】
表示部５０１は、セキュリティエリア２６０への入場が不許可の場合にＩＣカード２４０をＩＣタグリーダライタ２２２にタッチされると、「不許可」の文字を表示して、利用希望者がセキュリティエリア２６０への入場を許可されていないことを明示する。なお、本実施形態においては、入場希望者の入場を許可しない場合には「不許可」の文字を表示部５０１に表示するが、表示態様はこれに限られるものではなく、顔画像を含め表示を一切行なわない態様や、不許可を示す画像を表示する等の表示態様でもよい。
【００３７】
（第２本人確認情報のデータベース）
図６は、本実施形態における第２本人確認情報データベース２１５のテーブルを示す図である。第２本人確認情報データベース２１５には、第２本人確認情報のテーブル６００が格納されている。第２本人確認情報のテーブル６００には、ＩＤ６０１と、名前６０２と、生体認証情報６０３と、入場許可６０４とが蓄積されている。
【００３８】
ＩＤ６０１は、セキュリティエリア２６０への入場許可者のすべてのＩＤ（identification）である。名前６０２は、ＩＣカード２４０に予め表示されている入場許可者の名前であり、表示部５０１と並んで表示されている。次に、生体認証情報６０３は、入場許可者の生体認証情報であって、たとえば、指紋、静脈、顔、虹彩等であるが、これらに限定されるものではない。
【００３９】
入場許可６０４は、各入場許可者がセキュリティエリア２６０への入場を許可された者として登録されているか否かを示すものである。本実施形態においては、入場許可者である「山田太郎」は「許可」の登録をされている。この入場を許可された者か否かの登録には、入場許可者において入場を一時的に制限されて「不許可」と登録される場合や、入場を許可されていない者において入場を一時的に認められて「許可」と登録される場合も含む。
【００４０】
なお、本実施形態において入場許可６０４は、特定のセキュリティエリア２６０への入場を許可された者か否かを登録しているが、１つの施設内に複数のセキュリティエリアが存在する場合に入場を許可された複数のセキュリティエリアを登録してもよい。また、本実施形態においてテーブル６００では、入場許可６０４には、セキュリティエリア２６０内に設けられた、さらにセキュリティを高めたエリア（第２セキュリティエリア）への入場を許可された者を登録することも可能である。この場合において、第２セキュリティエリアへの入場を許可されていない者は、セキュリティエリア２６０への入場は「許可」、第２セキュリティエリアへの入場は「不許可」のように登録される。なお、この登録例の第２本人確認情報のテーブル６００への図示は省略する。
【００４１】
（顔画像情報のデータベース）
図７は、本実施形態における顔画像情報データベース２１６のテーブルを示す図である。顔画像情報データベース２１６は、顔画像情報７０１を第２本人確認情報のＩＤ６０１と紐付けて蓄積する。顔画像情報７０１は、利用許可者の顔画像データである。この顔画像情報７０１は、送信部２１３からネットワーク２３０を介してＩＣタグリーダライタ２２２に送信されて、ＩＣカード２４０の表示部５０１に表示される。なお、判定結果が不一致の場合には、顔画像情報データベース２１６は利用希望者の顔画像情報７０１を蓄積していない。したがって、ＩＣカード２４０をＩＣタグリーダライタ２２２にタッチしても、表示部５０１は当然に顔画像を表示しない。
【００４２】
（フローチャート）
図８は、本実施形態における入場管理装置２１０の手続の処理を示すフローチャートである。
【００４３】
ステップＳ８０１において、受付部２１１は、入場希望者の生体認証情報を受け付ける。ステップＳ８０３において、判定部２１２は、入場許可者の第２本人確認情報を第２本人確認情報データベース２１５から取得する。ステップＳ８０５において、判定部２１２は、入場希望者の第１本人確認情報と第２本人確認情報とが一致するか否か判定することで、入場希望者がセキュリティエリア２６０への入場許可を登録された者であるか否か判定する。入場希望者が入場許可者であると判定した場合にはステップＳ８１１に進む。一方、入場希望者が入場許可者として登録されていないと判定した場合にはステップＳ８０７に進む。
【００４４】
ステップＳ８０７において、入場管理装置２１０は、ＩＣタグリーダライタ２２２に入場希望者が入場許可者として登録されていない未登録者であることを通知する。ステップＳ８０９において、入場管理装置２１０は、ＩＣタグリーダライタ２２２に入場希望者の入場を許可しない（未登録者の入場は不許可である）ことの表示を、ＩＣカード２４０に送信するように指示する。
【００４５】
一方、ステップＳ８１１において、入場管理装置２１０は、ＩＣカード２４０をＩＣタグリーダライタ２２２にタッチすることを要求するメッセージを入力部２２１に送信する。ステップＳ８１３において、送信部２１３は、顔画像情報７０１を顔画像情報データベース２１６から取得する。ステップＳ８１５において、送信部２１３は、顔画像情報データベース２１６から取得した入場許可者の顔画像情報７０１を、ＩＣタグリーダライタ２２２に送信する。ステップＳ８１７において、指示部２１４は、セキュリティエリア２６０の電気錠２５０の開錠を指示する。
【００４６】
（ハードウェア構成）
図９は、本実施形態における入場管理装置２１０のハードウェア構成を示す図である。入場管理装置２１０の内部構成について、図９を用いて説明する。入場管理装置２１０は、ＣＰＵ９１０とＲＯＭ９２０と通信制御部９３０とＲＡＭ９４０とストレージ９５０とを備えている。ＣＰＵ９１０は中央処理部であって、様々なプログラムを実行することにより入場管理装置２１０全体を制御する。ＲＯＭ９２０は、リードオンリメモリであり、ＣＰＵ９１０が最初に実行すべきブートプログラムの他、各種パラメータ等を記憶している。
【００４７】
また、ＲＡＭ９４０は、ランダムアクセスメモリであり、第１本人確認情報９４１と、第２本人確認情報９４２と、判定結果９４３と、顔画像情報９４４と、開錠指示９４５とを有する。一方、ストレージ９５０は、図６に示す第２本人確認情報データベース２１５と図７に示す顔画像情報データベース２１６とを構成する。また、通信制御部９３０は、他の端末とのネットワークを介した通信を制御する。
【００４８】
第１本人確認情報９４１は、セキュリティエリア２６０への入場希望者により入力された生体認証情報であって、受付部２１１において受け付けた情報である。第２本人確認情報９４２は、セキュリティエリア２６０への入場許可者により登録された生体認証情報であって、第２本人確認情報データベース２１５から読み出された情報である。判定結果９４３は、第１本人確認情報９４１と第２本人確認情報９４２との一致または不一致を判定部２１２において判定した結果である。顔画像情報９４４は、顔画像情報データベース２１６から取得した、入場許可者の顔画像情報である。開錠指示９４５は、入場を許可する場合に指示部２１４から錠２５０に送信されるセキュリティエリア２６０への錠２５０の指示である。
【００４９】
以上の構成および動作により、本実施形態によれば、入場時に登録された者か否かチェックすると共に、本人とＩＣカード（表示装置）に表示された顔画像とを対照可能であるため、第三者によるチェック効果も期待でき、セキュリティを高めることができる。
【００５０】
［他の実施形態］
以上、実施形態を参照して本願発明を説明したが、本願発明は上記実施形態に限定されものではない。本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。
【００５１】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。
【００５２】
［実施形態の他の表現］
上記の実施形態の一部または全部は、以下の付記のようにも記載されうるが、以下には限られない。
（付記１）
管理された特定範囲への入場を希望する入場希望者から入場時に本人確認用の第１本人確認情報の入力を受け付ける受付手段と、
前記特定範囲への入場を許可された入場許可者があらかじめ登録した第２本人確認情報と前記第１本人確認情報とが一致するか否か判定する判定手段と、
前記判定手段が前記第１本人確認情報と前記第２本人確認情報とが一致すると判定した場合に、前記第２本人確認情報と紐付けて記憶された顔画像情報を表示端末に送信する送信手段と、
前記判定した結果が一致し、かつ、前記顔画像情報が送信されたことを確認した場合に、前記特定範囲への入口の開錠を指示する指示手段と、
を備えた情報処理装置と、
前記送信手段によって送信された前記顔画像情報を受信して表示する表示端末と、
を含むことを特徴とする情報処理システム。
（付記２）
前記表示端末は、前記入場希望者が所持することを特徴とする付記１に記載の情報処理システム。
（付記３）
前記表示端末はＩＣカードであることを特徴とする付記１または２に記載の情報処理システム。
（付記４）
前記指示手段は、前記顔画像情報が前記表示端末に表示されたことを確認した場合に、前記特定範囲への入口の開錠を指示することを特徴とする付記１乃至３のいずれか１項に記載の情報処理システム。
（付記５）
管理された特定範囲への入場を希望する入場希望者から入場時に本人確認用の第１本人確認情報の入力を受け付ける受付ステップと、
前記特定範囲への入場を許可された入場許可者があらかじめ登録した第２本人確認情報と前記第１本人確認情報とが一致するか否か判定する判定ステップと、
前記判定ステップが前記第１本人確認情報と前記第２本人確認情報とが一致すると判定した場合に、前記第２本人確認情報と紐付けて記憶された顔画像情報を表示端末に送信する送信ステップと、
前記判定した結果が一致し、かつ、前記顔画像情報が送信されたことを確認した場合に、前記特定範囲への入口の開錠を指示する指示ステップと、
前記送信ステップによって送信された前記顔画像情報を受信して表示する表示ステップと、
を含むことを特徴とする情報処理方法。
（付記６）
管理された特定範囲への入場を希望する入場希望者から入場時に本人確認用の第１本人確認情報の入力を受け付ける受付手段と、
前記特定範囲への入場を許可された入場許可者があらかじめ登録した第２本人確認情報と前記第１本人確認情報とが一致するか否か判定する判定手段と、
前記判定手段が前記第１本人確認情報と前記第２本人確認情報とが一致すると判定した場合に、前記第２本人確認情報と紐付けて記憶された顔画像情報を表示端末に送信する送信手段と、
前記判定した結果が一致し、かつ、前記顔画像情報が送信されたことを確認した場合に、前記特定範囲への入口の開錠を指示する指示手段と、
を備えたことを特徴とする情報処理装置。
（付記７）
前記送信手段は、前記表示端末としてのＩＣカードに前記顔画像情報を送信することを特徴とする付記６に記載の情報処理装置。
（付記８）
管理された特定範囲への入場を希望する入場希望者から入場時に本人確認用の第１本人確認情報の入力を受け付ける受付ステップと、
前記特定範囲への入場を許可された入場許可者があらかじめ登録した第２本人確認情報と前記第１本人確認情報とが一致するか否か判定する判定ステップと、
前記判定ステップが前記第１本人確認情報と前記第２本人確認情報とが一致すると判定した場合に、前記第２本人確認情報と紐付けて記憶された顔画像情報を表示端末に送信する送信ステップと、
前記判定した結果が一致し、かつ、前記顔画像情報が送信されたことを確認した場合に、前記特定範囲への入口の開錠を指示する指示ステップと、
を含むことを特徴とする情報処理装置の制御方法。
（付記９）
管理された特定範囲への入場を希望する入場希望者から入場時に本人確認用の第１本人確認情報の入力を受け付ける受付ステップと、
前記特定範囲への入場を許可された入場許可者があらかじめ登録した第２本人確認情報と前記第１本人確認情報とが一致するか否か判定する判定ステップと、
前記判定ステップが前記第１本人確認情報と前記第２本人確認情報とが一致すると判定した場合に、前記第２本人確認情報と紐付けて記憶された顔画像情報を表示端末に送信する送信ステップと、
前記判定した結果が一致し、かつ、前記顔画像情報が送信されたことを確認した場合に、前記特定範囲への入口の開錠を指示する指示ステップと、
をコンピュータに実行させることを特徴とする情報処理装置の制御プログラム。
【図１】
2013120454.tif 000003
【図２】
2013120454.tif 000004
【図３】
2013120454.tif 000005
【図４】
2013120454.tif 000006
【図５】
2013120454.tif 000007
【図６】
2013120454.tif 000008
【図７】
2013120454.tif 000009
【図８】
2013120454.tif 000010
【図９】
2013120454.tif 000011